(57)【要約】【課題】より簡単で直感的な操作によってデータの受け渡しを行う。【解決手段】表示制御部５３は、データに対応するアイコンの、タッチパネルとしての表示部３１への表示を制御し、操作検出部５１は、アイコンが表示される表示部３１に対するユーザの操作を検出し、通信相手操作検知部５５は、アイコンが、表示部３１における外縁部で保持されているときに、通信相手である他の携帯端末装置１１においてアイコンの一部が表示される、通信相手の表示部３１に対する他のユーザの操作を検知し、送信制御部５４は、アイコンが外縁部で保持され、かつ、アイコンの一部が通信相手の表示部３１において保持されている状態から、操作検出部５１によって、アイコンが外縁部で開放されたことが検出されたとき、通信相手へのデータの送信を開始するよう制御する。本発明は、表示部を備える携帯端末装置に適用することができる。【選択図】図２
2010262330.tif 000002
【特許請求の範囲】
【請求項１】
データの送信先である受信装置に前記データを送信する送信装置において、
前記データに対応するアイコンの、タッチパネルとしての第１の表示部への表示を制御する表示制御手段と、
前記アイコンが表示される前記第１の表示部に対する第１のユーザの操作を検出する操作検出手段と、
前記アイコンが、前記第１の表示部における所定領域で保持されているときに、前記受信装置において前記アイコンの一部が表示される、タッチパネルとしての第２の表示部に対する第２のユーザの操作を検知する送信先操作検知手段と、
前記アイコンが前記第１の表示部における所定領域で保持され、かつ、前記アイコンの一部が前記第２の表示部において保持されている状態から、前記操作検出手段によって、前記アイコンが前記第１の表示部における所定領域で開放されたことが検出されたとき、前記受信装置への前記データの送信を開始するよう制御する送信制御手段と
を備える送信装置。
【請求項２】
前記アイコンが前記第１の表示部の外縁部で保持され、かつ、前記アイコンの一部が前記第２の表示部において保持されている状態から、前記操作検出手段によって、前記アイコンが前記第１の表示部の外縁部で開放されたことが検出され、前記送信先操作検知手段によって、前記アイコンの全てが前記第２の表示部において表示されるように保持されていることが検知されたとき、
前記表示制御手段は、前記アイコンの表示を終了させ、
前記送信制御手段は、前記受信装置への前記データの送信を開始するよう制御する
請求項１に記載の送信装置。
【請求項３】
前記表示制御手段は、前記アイコンが前記第１の表示部の外縁部で保持され、かつ、前記第２の表示部において前記アイコンの一部が表示されている状態から、前記操作検出手段によって、前記アイコンが前記第１の表示部において開放されたことが検知されたとき、前記アイコンの全てを前記第１の表示部に表示させる
請求項２に記載の送信装置。
【請求項４】
データの送信先である受信装置に前記データを送信する送信装置の送信方法において、
前記データに対応するアイコンの、タッチパネルとしての第１の表示部への表示を制御する表示制御ステップと、
前記アイコンが表示される前記第１の表示部に対する第１のユーザの操作を検出する操作検出ステップと、
前記アイコンが、前記第１の表示部における所定領域で保持されているときに、前記受信装置において前記アイコンの一部が表示される、タッチパネルとしての第２の表示部に対する第２のユーザの操作を検知する送信先操作検知ステップと、
前記アイコンが前記第１の表示部における所定領域で保持され、かつ、前記アイコンの一部が前記第２の表示部において保持されている状態から、前記操作検出ステップの処理によって、前記アイコンが前記第１の表示部における所定領域で開放されたことが検出されたとき、前記受信装置への前記データの送信を開始するよう制御する送信制御ステップと
を含む送信方法。
【請求項５】
データの送信元である送信装置から送信されてくる前記データを受信する受信装置において、
前記送信装置において前記データに対応するアイコンが表示される、タッチパネルとしての第１の表示部に対する第１のユーザの操作を検知する送信元操作検知手段と、
前記送信元操作検知手段によって、前記アイコンが、前記第１の表示部における所定領域で保持されていることが検知されたときに、前記アイコンの一部の、タッチパネルとしての第２の表示部への表示を制御する表示制御手段と、
前記アイコンの一部が表示される前記第２の表示部に対する第２のユーザの操作を検出する操作検出手段と、
前記アイコンが前記第１の表示部における所定領域で保持され、かつ、前記アイコンの一部が前記第２の表示部において保持されている状態から、前記送信元操作検知手段によって、前記アイコンが前記第１の表示部における所定領域で開放されたことが検知されたとき、前記送信装置から送信されてくる前記データの受信を開始するよう制御する受信制御手段と
を備える受信装置。
【請求項６】
前記受信制御手段は、前記アイコンが前記第１の表示部の外縁部で保持され、かつ、前記アイコンの一部が前記第２の表示部において保持されている状態から、前記送信元操作検知手段によって、前記アイコンが前記第１の表示部の外縁部で開放されたことが検知され、前記操作検出手段によって、前記アイコンの全てが前記第２の表示部において表示されるように保持されていることが検出されたとき、前記送信装置から送信されてくる前記データの受信を開始するよう制御する
請求項５に記載の受信装置。
【請求項７】
前記表示制御手段は、前記アイコンが前記第１の表示部の外縁部で保持され、かつ、前記第２の表示部において前記アイコンの一部が表示されている状態から、前記送信元操作検知手段によって、前記アイコンが前記第１の表示部の外縁部において開放されたことが検知されたとき、前記アイコンの表示を終了させる
請求項６に記載の受信装置。
【請求項８】
データの送信元である送信装置から送信されてくる前記データを受信する受信装置の受信方法において、
前記送信装置において前記データに対応するアイコンが表示される、タッチパネルとしての第１の表示部に対する第１のユーザの操作を検知する送信元操作検知ステップと、
前記送信元操作検知ステップの処理によって、前記アイコンが、前記第１の表示部における所定領域で保持されていることが検知されたときに、前記アイコンの一部の、タッチパネルとしての第２の表示部への表示を制御する表示制御ステップと、
前記アイコンの一部が表示される前記第２の表示部に対する第２のユーザの操作を検出する操作検出ステップと、
前記アイコンが前記第１の表示部における所定領域で保持され、かつ、前記アイコンの一部が前記第２の表示部において保持されている状態から、前記送信元操作検知ステップの処理によって、前記アイコンが前記第１の表示部における所定領域で開放されたことが検知されたとき、前記送信装置から送信されてくる前記データの受信を開始するよう制御する受信制御ステップと
を含む受信方法。
【請求項９】
前記データを送信する送信装置と、前記送信装置から送信されてくる前記データを受信する受信装置とからなる送受信システムにおいて、
前記送信装置は、
前記データに対応するアイコンの、タッチパネルとしての第１の表示部への表示を制御する第１の表示制御手段と、
前記アイコンが表示される前記第１の表示部に対する第１のユーザの操作を検出する第１の操作検出手段と、
前記アイコンが、前記第１の表示部における所定領域で保持されているときに、前記受信装置において前記アイコンの一部が表示される、タッチパネルとしての第２の表示部に対する第２のユーザの操作を検知する送信先操作検知手段と、
前記アイコンが前記所定領域で保持され、かつ、前記アイコンの一部が前記第２の表示部において保持されている状態から、前記第１の操作検出手段によって、前記アイコンが前記所定領域で開放されたことが検出されたとき、前記受信装置への前記データの送信を開始するよう制御する送信制御手段と
を備え、
前記受信装置は、
前記送信装置において、前記第１の表示部に対する前記第１のユーザの操作を検知する送信元操作検知手段と、
前記送信元操作検知手段によって、前記アイコンが、前記第１の表示部における所定領域で保持されていることが検知されたときに、前記アイコンの一部の、前記第２の表示部への表示を制御する第２の表示制御手段と、
前記アイコンの一部が表示される前記第２の表示部に対する前記第２のユーザの操作を検出する第２の操作検出手段と、
前記アイコンが前記第１の表示部における所定領域で保持され、かつ、前記アイコンの一部が前記第２の表示部において保持されている状態から、前記送信元操作検知手段によって、前記アイコンが前記第１の表示部における所定領域で開放されたことが検知されたとき、前記送信装置から送信されてくる前記データの受信を開始するよう制御する受信制御手段と
を備える送受信システム。
【発明の詳細な説明】
【技術分野】
【０００１】
本発明は、送信装置および方法、受信装置および方法、並びに送受信システムに関し、特に、より簡単で直感的な操作によってデータの受け渡しを行うことができるようにする送信装置および方法、受信装置および方法、並びに送受信システムに関する。
【背景技術】
【０００２】
従来、データ転送の手法について、様々な技術が提案されている。
【０００３】
例えば、電子掲示装置の画面上の外縁部に設けられた転送用領域に、ユーザがデータアイコンをドラッグ＆ドロップすることで、ユーザの所有する携帯端末にデータを転送する技術がある（特許文献１参照）。
【０００４】
また、パーソナルコンピュータに、接続インタフェースを介して接続されたメモリカードや携帯端末を記憶デバイスとして認識し、接続インタフェースの位置に対応した画面位置に、記憶デバイスのアイコンやウィンドウを表示させて、そのアイコンやウィンドウに、データアイコンをドラッグ＆ドロップすることで、データを転送する表示装置が提案されている（特許文献２参照）。
【０００５】
さらに、複数の携帯端末の表示画面上に共有空間を設け、その共有空間にデータアイコンをドラッグ＆ドロップすることで、携帯端末間でデータを転送する手法が提案されている（特許文献３参照）。
【先行技術文献】
【特許文献】
【０００６】
【特許文献１】特開２００８−２５７４４２号公報
【特許文献２】特開２００４−５４８７９号公報
【特許文献３】特表２００６−５１８５０７号公報
【発明の概要】
【発明が解決しようとする課題】
【０００７】
しかしながら、特許文献１の手法においては、画面上の外縁部は常に外部との接続に用いられるため、画面が小さい携帯端末等に適用した場合、表示領域が狭くなるため、操作性の悪化を招く。
【０００８】
また、特許文献２の、記憶デバイスのアイコンやウィンドウに、データアイコンをドラッグ＆ドロップすることは、コンピュータの操作としては一般的である。しかしながら、この操作は、現実の世界でユーザが他のユーザに物を渡す動作とは異なるため、コンピュータの操作に慣れていないユーザにとっては、容易な操作とは言えない。
【０００９】
さらに、特許文献３の手法においても、表示画面上に共有空間を設ける必要があり、画面が小さい携帯端末等に適用した場合、表示領域が狭くなるため、操作性の悪化を招く。また、ドラッグ＆ドロップする操作は、現実の世界でユーザが他のユーザに物を渡す動作とは異なるため、コンピュータの操作に慣れていないユーザにとっては、容易な操作とは言えない。
【００１０】
本発明は、このような状況に鑑みてなされたものであり、特に、より簡単で直感的な操作によってデータの受け渡しを行うようにするものである。
【課題を解決するための手段】
【００１１】
本発明の第１の側面の送信装置は、データの送信先である受信装置に前記データを送信する送信装置であって、前記データに対応するアイコンの、タッチパネルとしての第１の表示部への表示を制御する表示制御手段と、前記アイコンが表示される前記第１の表示部に対する第１のユーザの操作を検出する操作検出手段と、前記アイコンが、前記第１の表示部における所定領域で保持されているときに、前記受信装置において前記アイコンの一部が表示される、タッチパネルとしての第２の表示部に対する第２のユーザの操作を検知する送信先操作検知手段と、前記アイコンが前記第１の表示部における所定領域で保持され、かつ、前記アイコンの一部が前記第２の表示部において保持されている状態から、前記操作検出手段によって、前記アイコンが前記第１の表示部における所定領域で開放されたことが検出されたとき、前記受信装置への前記データの送信を開始するよう制御する送信制御手段とを備える。
【００１２】
前記アイコンが前記第１の表示部の外縁部で保持され、かつ、前記アイコンの一部が前記第２の表示部において保持されている状態から、前記操作検出手段によって、前記アイコンが前記第１の表示部の外縁部で開放されたことが検出され、前記送信先操作検知手段によって、前記アイコンの全てが前記第２の表示部において表示されるように保持されていることが検知されたとき、前記表示制御手段には、前記アイコンの表示を終了させ、前記送信制御手段には、前記受信装置への前記データの送信を開始するよう制御させることができる。
【００１３】
前記表示制御手段には、前記アイコンが前記第１の表示部の外縁部で保持され、かつ、前記第２の表示部において前記アイコンの一部が表示されている状態から、前記操作検出手段によって、前記アイコンが前記第１の表示部において開放されたことが検知されたとき、前記アイコンの全てを前記第１の表示部に表示させることができる。
【００１４】
本発明の第１の側面の送信方法は、データの送信先である受信装置に前記データを送信する送信装置の送信方法であって、前記データに対応するアイコンの、タッチパネルとしての第１の表示部への表示を制御する表示制御ステップと、前記アイコンが表示される前記第１の表示部に対する第１のユーザの操作を検出する操作検出ステップと、前記アイコンが、前記第１の表示部における所定領域で保持されているときに、前記受信装置において前記アイコンの一部が表示される、タッチパネルとしての第２の表示部に対する第２のユーザの操作を検知する送信先操作検知ステップと、前記アイコンが前記第１の表示部における所定領域で保持され、かつ、前記アイコンの一部が前記第２の表示部において保持されている状態から、前記操作検出ステップの処理によって、前記アイコンが前記第１の表示部における所定領域で開放されたことが検出されたとき、前記受信装置への前記データの送信を開始するよう制御する送信制御ステップと含む。
【００１５】
本発明の第２の側面の受信装置は、データの送信元である送信装置から送信されてくる前記データを受信する受信装置であって、前記送信装置において前記データに対応するアイコンが表示される、タッチパネルとしての第１の表示部に対する第１のユーザの操作を検知する送信元操作検知手段と、前記送信元操作検知手段によって、前記アイコンが、前記第１の表示部における所定領域で保持されていることが検知されたときに、前記アイコンの一部の、タッチパネルとしての第２の表示部への表示を制御する表示制御手段と、前記アイコンの一部が表示される前記第２の表示部に対する第２のユーザの操作を検出する操作検出手段と、前記アイコンが前記第１の表示部における所定領域で保持され、かつ、前記アイコンの一部が前記第２の表示部において保持されている状態から、前記送信元操作検知手段によって、前記アイコンが前記第１の表示部における所定領域で開放されたことが検知されたとき、前記送信装置から送信されてくる前記データの受信を開始するよう制御する受信制御手段とを備える。
【００１６】
前記受信制御手段には、前記アイコンが前記第１の表示部の外縁部で保持され、かつ、前記アイコンの一部が前記第２の表示部において保持されている状態から、前記送信元操作検知手段によって、前記アイコンが前記第１の表示部の外縁部で開放されたことが検知され、前記操作検出手段によって、前記アイコンの全てが前記第２の表示部において表示されるように保持されていることが検出されたとき、前記送信装置から送信されてくる前記データの受信を開始するよう制御させることができる。
【００１７】
前記表示制御手段には、前記アイコンが前記第１の表示部の外縁部で保持され、かつ、前記第２の表示部において前記アイコンの一部が表示されている状態から、前記送信元操作検知手段によって、前記アイコンが前記第１の表示部の外縁部において開放されたことが検知されたとき、前記アイコンの表示を終了させることができる。
【００１８】
本発明の第２の側面の受信方法は、データの送信元である送信装置から送信されてくる前記データを受信する受信装置の受信方法であって、前記送信装置において前記データに対応するアイコンが表示される、タッチパネルとしての第１の表示部に対する第１のユーザの操作を検知する送信元操作検知ステップと、前記送信元操作検知ステップの処理によって、前記アイコンが、前記第１の表示部における所定領域で保持されていることが検知されたときに、前記アイコンの一部の、タッチパネルとしての第２の表示部への表示を制御する表示制御ステップと、前記アイコンの一部が表示される前記第２の表示部に対する第２のユーザの操作を検出する操作検出ステップと、前記アイコンが前記第１の表示部における所定領域で保持され、かつ、前記アイコンの一部が前記第２の表示部において保持されている状態から、前記送信元操作検知ステップの処理によって、前記アイコンが前記第１の表示部における所定領域で開放されたことが検知されたとき、前記送信装置から送信されてくる前記データの受信を開始するよう制御する受信制御ステップと含む。
【００１９】
本発明の第３の側面の送受信システムは、前記データを送信する送信装置と、前記送信装置から送信されてくる前記データを受信する受信装置とからなる送受信システムであって、前記送信装置が、前記データに対応するアイコンの、タッチパネルとしての第１の表示部への表示を制御する第１の表示制御手段と、前記アイコンが表示される前記第１の表示部に対する第１のユーザの操作を検出する第１の操作検出手段と、前記アイコンが、前記第１の表示部における所定領域で保持されているときに、前記受信装置において前記アイコンの一部が表示される、タッチパネルとしての第２の表示部に対する第２のユーザの操作を検知する送信先操作検知手段と、前記アイコンが前記所定領域で保持され、かつ、前記アイコンの一部が前記第２の表示部において保持されている状態から、前記第１の操作検出手段によって、前記アイコンが前記所定領域で開放されたことが検出されたとき、前記受信装置への前記データの送信を開始するよう制御する送信制御手段とを備え、前記受信装置が、前記送信装置において、前記第１の表示部に対する前記第１のユーザの操作を検知する送信元操作検知手段と、前記送信元操作検知手段によって、前記アイコンが、前記第１の表示部における所定領域で保持されていることが検知されたときに、前記アイコンの一部の、前記第２の表示部への表示を制御する第２の表示制御手段と、前記アイコンの一部が表示される前記第２の表示部に対する前記第２のユーザの操作を検出する第２の操作検出手段と、前記アイコンが前記第１の表示部における所定領域で保持され、かつ、前記アイコンの一部が前記第２の表示部において保持されている状態から、前記送信元操作検知手段によって、前記アイコンが前記第１の表示部における所定領域で開放されたことが検知されたとき、前記送信装置から送信されてくる前記データの受信を開始するよう制御する受信制御手段とを備える。
【００２０】
本発明の第１の側面においては、データに対応するアイコンの、タッチパネルとしての第１の表示部への表示が制御され、アイコンが表示される第１の表示部に対する第１のユーザの操作が検出され、アイコンが、第１の表示部における所定領域で保持されているときに、受信装置においてアイコンの一部が表示される、タッチパネルとしての第２の表示部に対する第２のユーザの操作が検知され、アイコンが第１の表示部における所定領域で保持され、かつ、アイコンの一部が第２の表示部において保持されている状態から、アイコンが第１の表示部における所定領域で開放されたことが検出されたとき、受信装置へのデータの送信が開始されるよう制御される。
【００２１】
本発明の第２の側面においては、送信装置においてデータに対応するアイコンが表示される、タッチパネルとしての第１の表示部に対する第１のユーザの操作が検知され、アイコンが、第１の表示部における所定領域で保持されていることが検知されたときに、アイコンの一部の、タッチパネルとしての第２の表示部への表示が制御され、アイコンの一部が表示される第２の表示部に対する第２のユーザの操作が検出され、アイコンが第１の表示部における所定領域で保持され、かつ、アイコンの一部が第２の表示部において保持されている状態から、アイコンが第１の表示部における所定領域で開放されたことが検知されたとき、送信装置から送信されてくるデータの受信が開始されるよう制御される。
【００２２】
本発明の第３の側面においては、データに対応するアイコンの、タッチパネルとしての第１の表示部への表示が制御され、アイコンが表示される第１の表示部に対する第１のユーザの操作が検出され、アイコンが、第１の表示部における所定領域で保持されているときに、受信装置においてアイコンの一部が表示される、タッチパネルとしての第２の表示部に対する第２のユーザの操作が検知され、アイコンが所定領域で保持され、かつ、アイコンの一部が第２の表示部において保持されている状態から、アイコンが所定領域で開放されたことが検出されたとき、受信装置へのデータの送信が開始されるよう制御される。また、送信装置において、第１の表示部に対する第１のユーザの操作が検知され、アイコンが、第１の表示部における所定領域で保持されていることが検知されたときに、アイコンの一部の、第２の表示部への表示が制御され、アイコンの一部が表示される第２の表示部に対する第２のユーザの操作が検出され、アイコンが第１の表示部における所定領域で保持され、かつ、アイコンの一部が第２の表示部において保持されている状態から、アイコンが第１の表示部における所定領域で開放されたことが検知されたとき、送信装置から送信されてくるデータの受信が開始されるよう制御される。
【発明の効果】
【００２３】
本発明の第１乃至第３の側面によれば、より簡単で直感的な操作によってデータの受け渡しを行うことが可能となる。
【図面の簡単な説明】
【００２４】
【図１】本発明を適用した送受信システムの一実施の形態の構成例を示すブロック図である。
【図２】携帯端末装置の機能構成例を示すブロック図である。
【図３】データ送信処理およびデータ受信処理について説明するフローチャートである。
【図４】送受信システムの携帯端末装置におけるアイコンの表示を説明する図である。
【図５】送受信システムの携帯端末装置におけるアイコンの表示を説明する図である。
【図６】送受信システムの携帯端末装置におけるアイコンの表示を説明する図である。
【図７】送受信システムの携帯端末装置におけるアイコンの表示を説明する図である。
【図８】送受信システムの携帯端末装置におけるアイコンの表示を説明する図である。
【図９】送受信システムの携帯端末装置におけるアイコンの表示を説明する図である。
【発明を実施するための形態】
【００２５】
以下、本発明の実施の形態について図を参照して説明する。
【００２６】
［送受信システムの構成例］
図１は、本発明を適用した送受信システムの一実施の形態の構成例を示している。図１の送受信システムは、携帯端末装置１１−１および１１−２から構成される。携帯端末装置携帯端末装置１１−１および１１−２は、例えば、携帯電話機やPDA（Personal Digital Assistant）等として構成され、有線または無線で、互いに通信可能に接続されることで、それぞれの間でデータの送受信を行う。ここで、以降においては、携帯端末装置１１−１および１１−２について、特に区別する必要がない場合は、単に、携帯端末装置１１と称する。
【００２７】
図１に示されるように、携帯端末装置１１（１１−１）は、ユーザ１２によって操作され、表示部３１および通信部３２を備えている。携帯端末装置１１においては、ユーザ１２の指や、ユーザ１２の扱うスタイラスペン等によって、タッチパネルとしての表示部３１が押圧操作されることによって、表示部３１に表示されているデータアイコンＤが、表示部３１上を自在に移動する。ここで、データアイコンＤ（以下、単に、アイコンＤという）は、携帯端末装置１１に記録されている、画像（静止画像および動画像）データ、音声データ、テキストデータ、携帯端末装置１１の各種の処理を実行するためのプログラム等の種々のデータを表すアイコンである。また、携帯端末装置１１（１１−１）においては、表示部３１に表示されているアイコンＤに対して、ユーザ１２によって所定の操作がされることにより、アイコンＤに対応するデータが、通信部３２を介して通信相手（携帯端末装置１１−２）に送信される。
【００２８】
［携帯端末装置の機能構成例］
次に、図２を参照して、携帯端末装置１１の機能構成例について説明する。
【００２９】
図２の携帯端末装置１１は、表示部３１、通信部３２、操作入力部３３、記録部３４、および制御部３５から構成される。
【００３０】
表示部３１は、図１で説明したものと同一であり、LCD（Liquid Crystal Display）や有機EL（Electro Luminescence）等の表示デバイスからなり、制御部３５の制御に基づいて、各種の画像を表示する。より具体的には、例えば、表示部３１は、操作入力部３３に対するユーザ１２の操作に応じた制御部３５の制御に基づいて、所定のデータを表すアイコンＤを表示する。
【００３１】
通信部３２は、図１で説明したものと同一であり、有線または無線のネットワークを介して、通信相手となる携帯端末装置１１との間で、データの送受信を行う。より具体的には、通信部３２は、赤外線やBluetooth（商標）、TransferJet（商標）等による近距離無線通信や、USB（Universal Serial Bus）ケーブルを介した有線通信、WiMAX（Worldwide Interoperability for Microwave Access）やLTE（Long Term Evolution）、いわゆるWi-Fiに利用されているIEEE(The Institute of Electrical and Electronic Engineers) 802.11aまたは802.11b等による遠距離無線通信を行う。また、通信部３２は、送信部３２ａおよび受信部３２ｂを備えており、制御部３５の制御に基づいて、送信部３２ａはデータの送信を、受信部３２ｂはデータの受信をそれぞれ行う。
【００３２】
操作入力部３３は、表示部３１と一体で構成されているタッチパネルであり、携帯端末装置１１に対する指示を入力するためにユーザ１２に操作される。操作入力部３３は、ユーザ１２による、指やスタイラスペン等からの操作を受け付け、その操作内容を示す信号（情報）を制御部３５に供給する。また、操作入力部３３には、表示部３１に重ねて設けられているタッチパネル以外の、各種の操作ボタン、キーボード、マウス、リモコン、マイクロフォン等も含むように構成されてもよい。
【００３３】
記録部３４は、ハードディスクドライブ、所定のドライブに駆動されるDVD（Digital Versatile Disk）などの光ディスクおよびそのドライブ、またはメモリカードなどの半導体メモリなどからなる。記録部３４は、例えば、通信部３２において送受信される種々のデータを記録している。
【００３４】
制御部３５は、例えば、マイクロプロセッサなどからなり、携帯端末装置１１全体を制御する。制御部３５は、操作検出部５１、記録制御部５２、表示制御部５３、通信制御部５４、通信相手操作検知部５５、および操作判定部５６から構成される。
【００３５】
操作検出部５１は、ユーザ１２の操作入力部３３に対する操作を検出する。より具体的には、操作検出部５１は、操作入力部３３からの、ユーザ１２の操作を示す情報に基づいて、そのユーザ１２の操作に応じた情報を、制御部３５の各ブロックに供給する。操作検出部５１は、接触検出部５１ａおよび座標認識部５１ｂを備えている。接触検出部５１ａは、ユーザ１２の操作により、ユーザ１２の指やスタイラスペン等がタッチパネルである操作入力部３３に接触していることを検出する。座標認識部５１ｂは、例えば、接触検出部５１ａによってユーザ１２の指やスタイラスペン等の接触が検出された、操作入力部３３上での座標位置を認識する。
【００３６】
記録制御部５２は、操作検出部５１からの、ユーザ１２の操作に応じた情報や、操作判定部５６からの情報に基づいて、記録部３４に対するデータの記録および読み出しを制御する。例えば、記録制御部５２は、操作検出部５１からの、ユーザ１２の操作に応じた情報に基づいて、記録部３４からデータを読み出し、表示制御部５３や通信制御部５４に供給する。また、例えば、記録制御部５２は、操作判定部５６からの情報に基づいて、記録部３４からデータを読み出し、通信制御部５４に供給したり、通信制御部５４から供給されてくるデータを、記録部３４に供給し、記録させる。
【００３７】
表示制御部５３は、操作検出部５１からの、ユーザ１２の操作に応じた情報や、通信制御部５４または操作判定部５６からの情報に基づいて、表示部３１の表示を制御する。例えば、表示制御部５３は、操作検出部５１からの、ユーザ１２の操作に応じた情報に基づいて、そのユーザ１２の操作に対応した画像やテキスト等を、表示部３１に表示させる。
【００３８】
通信制御部５４は、通信部３２によるデータの送受信を制御する。通信制御部５４は、送信制御部５４ａおよび受信制御部５４ｂを備えている。送信制御部５４ａは、通信部３２の送信部３２ａによるデータの送信を制御し、受信制御部５４ｂは、通信部３２の受信部３２ｂによるデータの受信を制御する。
【００３９】
通信相手操作検知部５５は、通信部３２および通信制御部５４を介して、通信相手（他の携帯端末装置１１）から送信されてくる情報に基づいて、他の携帯端末装置１１の表示部３１に対する、他のユーザ１２による操作を検知する。通信相手操作検知部５５は、検知した他のユーザ１２の操作に応じた情報を、操作判定部５６に供給する。
【００４０】
操作判定部５６は、操作検出部５１からのユーザ１２の操作に応じた情報と、通信相手操作検知部５５からの他の（通信相手の）ユーザ１２の操作に応じた情報とに基づいて、記録制御部５２に、記録部３４に対するデータの記録または読み出しを指示する情報を供給する。また、操作判定部５６は、ユーザ１２の操作に応じた情報と、他の（通信相手の）ユーザ１２の操作に応じた情報とに基づいて、表示制御部５３に、表示部３１の表示を指示する情報を供給する。
【００４１】
ドライブ３６には、磁気ディスク、光ディスク、光磁気ディスク、または半導体メモリ等のリムーバブルメディア３７が適宜装着される。ドライブ３６は、制御部３５に制御されて、装着されているリムーバブルメディア３７から読み出されたコンピュータプログラムやデータを、必要に応じて記録部３４にインストールするか記憶させる。
【００４２】
［送受信システムにおけるデータ送信処理およびデータ受信処理］
次に、図３のフローチャートを参照して、図１の送受信システムにおけるデータ送信処理およびデータ受信処理について説明する。なお、図３のフローチャートにおいては、携帯端末装置１１−１は、近距離無線通信により、携帯端末装置１１−２にデータを送信し、携帯端末装置１１−２は、携帯端末装置１１−１からのデータを受信する。また、以降においては、携帯端末装置１１−１を構成する各ブロックの名称を、例えば、通信部３２−１等のように、“−１”を付して表し、携帯端末装置１１−２を構成する各ブロックの名称を、例えば、通信部３２−２等のように、“−２”を付して表す。また、同様に、携帯端末装置１１−１のユーザ１２をユーザ１２−１と称し、携帯端末装置１１−２のユーザ１２をユーザ１２−２と称する。
【００４３】
ステップＳ１１において、データの送信元である携帯端末装置１１−１の通信制御部５４−１は、通信部３２−１に、データの送信先である携帯端末装置１１−２との接続を開始させる。より具体的には、通信制御部５４−１は、操作検出部５１−１からの、操作入力部３３−１に対するユーザ１２−１による接続の開始を指示する旨の操作に応じた情報に基づいて、通信部３２−１に、携帯端末装置１１−２との接続の開始の要求を送信させる。
【００４４】
ステップＳ１２において、携帯端末装置１１−１の通信制御部５４−１は、携帯端末装置１１−２との接続が確立したか否かを判定する。携帯端末装置１１−２との接続が確立していないと判定された場合、携帯端末装置１１−２との接続が確立するまで、ステップＳ１２の処理が繰り返される。
【００４５】
ステップＳ１２において、携帯端末装置１１−２との接続が確立したと判定された場合、通信制御部５４−１は、表示制御部５３−１に、携帯端末装置１１−２との接続が確立した旨の情報を供給し、処理は、ステップＳ１３に進む。
【００４６】
ステップＳ１３において、表示制御部５３−１は、通信制御部５４−１からの情報に基づいて、表示部３１−１に、携帯端末装置１１−２との接続が確立した旨（例えば、コメント等）を表示させる。また、このとき、表示制御部５３−１は、表示部３１−１の全部または一部（特に、通信部３２−１近傍の領域）の表示を明るくしたり、背景を陽炎のよううに揺らめかせたりする等、表示部３１−１の表示を変化させるようにしてもよい。さらに、表示制御部５３−１は、LED（Light Emitting Diode）等で構成される、図示せぬインジケータを点灯させるようにしてもよい。
【００４７】
一方、携帯端末装置１１−２においても、ステップＳ１１乃至Ｓ１３に対応した処理が実行される。
【００４８】
すなわち、ステップＳ４１において、データの送信先である携帯端末装置１１−２の通信制御部５４−２は、通信部３２−２に、データの送信元である携帯端末装置１１−１との接続を開始させる。より具体的には、通信制御部５４−２は、携帯端末装置１１−１からの接続の開始の要求に基づいて、通信部３２−２に、携帯端末装置１１−１との接続を開始させる。
【００４９】
ステップＳ４２において、携帯端末装置１１−２の通信制御部５４−２は、携帯端末装置１１−１との接続が確立したか否かを判定する。携帯端末装置１１−１との接続が確立していないと判定された場合、携帯端末装置１１−１との接続が確立するまで、ステップＳ４２の処理が繰り返される。
【００５０】
ステップＳ４２において、携帯端末装置１１−１との接続が確立したと判定された場合、通信制御部５４−２は、表示制御部５３−２に、携帯端末装置１１−１との接続が確立した旨の情報を供給し、処理は、ステップＳ４３に進む。
【００５１】
ステップＳ４３において、表示制御部５３−２は、通信制御部５４−２からの情報に基づいて、表示部３１−２に、携帯端末装置１１−１との接続が確立した旨（例えば、コメント等）を表示させる。また、ここでは、表示制御部５３−２は、表示部３１−２の全部または一部（特に、通信部３２−２近傍の領域）の表示を明るくしたり、背景を陽炎のよううに揺らめかせたりする等、表示部３１−２の表示を変化させるようにしてもよい。さらに、表示制御部５３−２は、LED等で構成される、図示せぬインジケータを点灯させるようにしてもよい。
【００５２】
このようにして、携帯端末装置１１−１と携帯端末装置１１−２との接続が確立されることで、携帯端末装置１１−１から携帯端末装置１１−２にデータを送信することが可能となる。また、携帯端末装置１１−１，１１−２間の近距離通信における接続強度を、それぞれの表示部３１の表示の変化で示すことで、それぞれのユーザ１２は、それぞれ携帯端末装置１１の位置を調整して、より安定した接続を実現することができるようになる。
【００５３】
ステップＳ１４において、表示制御部５３−１は、操作検出部５１−１からの、操作入力部３３−１に対するユーザ１２−１によるデータの送信を指示する操作に応じた情報に基づいて、表示部３１−１に、送信するデータに対応するアイコンＤを表示させる。
【００５４】
図１を参照して説明したように、携帯端末装置１１−１においては、ユーザ１２−１の指や、ユーザ１２−１の扱うスタイラスペン等によって、タッチパネルとしての表示部３１−１が押圧操作されることによって、表示部３１−１に表示されているアイコンＤが、表示部３１−１上を自在に移動する。
【００５５】
このような状態から、ステップＳ１５において、携帯端末装置１１−１の操作検出部５１−１は、ユーザ１２−１の操作によって、アイコンＤが移動されて（ドラッグされて）、表示部３１−１の外縁部で保持されているか否かを判定する。より具体的には、接触検出部５１ａ−１が、ユーザ１２−１の指（またはスタイラスペン）が操作入力部３３−１に接触していることを検出し、かつ、座標認識部５１ｂ−１が、接触検出部５１ａ−１によってユーザ１２−１の指の接触が検出された、操作入力部３３−１上での座標位置が、表示部３１−１の外縁部であるか否かを判定する。ここで、表示部３１−１の外縁部とは、図１に示される表示部３１−１の、通信部３２−１近傍の領域を示している。なお、ここでは、ユーザ１２−１の指の座標位置が表示部３１−１の外縁部であるか否かを判定するようにしたが、例えば、アイコンＤの中心（重心）の座標位置と、表示部３１−１における通信部３２−１側の端部の座標位置との距離が所定の値より小さいか否かを判定するようにしてもよい。
【００５６】
すなわち、ステップＳ１５においては、携帯端末装置１１−１と携帯端末装置１１−２との間で通信の接続が確立している状態から、図４に示されるように、ユーザ１２−１の指によって、アイコンＤが、表示部３１−１上を、矢印方向（表示部３１−１の右側（携帯端末装置１１−２側））にドラッグされ、外縁部（図中破線で示される範囲）で保持されているか（ユーザ１２−１の指が接触したままでいるか）否かが判定される。なお、図４に示されるように、外縁部を、例えば、携帯端末装置１１−１と携帯端末装置１１−２との間で通信の接続が確立したときに表示するようにすることで、ユーザ１２−１は、外縁部の位置を認識することができる。
【００５７】
ステップＳ１５において、表示部３１−１の外縁部でアイコンＤが保持されていないと判定されると、表示部３１−１の外縁部でアイコンＤが保持されるまで、ステップＳ１５の処理が繰り返される。
【００５８】
一方、ステップＳ１５において、表示部３１−１の外縁部でアイコンＤが保持されていると判定されると、携帯端末装置１１−１の送信制御部５４ａ−１は、送信部３２ａ−１に、携帯端末装置１１−２に対して、表示部３１−１の外縁部でアイコンＤが保持されている旨の情報（以下、送信元保持情報）を送信させる。なお、図３のフローチャートにおいては、送信元保持情報を破線矢印で表し、以降においても、携帯端末装置１１−１，１１−２間で送受信される情報は全て、破線矢印で表す。
【００５９】
ところで、ステップＳ４３の後、ステップＳ４４において、携帯端末装置１１−２の通信相手操作検知部５５−２は、受信部３２ｂ−２および受信制御部５４ｂ−２を介して、携帯端末装置１１−１から送信されてくる送信元保持情報に基づいて、送信元（携帯端末装置１１−１）の外縁部でアイコンＤが保持されているか否かを判定する。
【００６０】
ステップＳ４４において、携帯端末装置１１−１から送信元保持情報が送信されず、送信元の外縁部でアイコンＤが保持されていないと判定された場合、送信元（携帯端末装置１１−１）の外縁部でアイコンＤが保持されるまで、ステップＳ４４の処理が繰り返される。
【００６１】
一方、ステップＳ４４において、携帯端末装置１１−１から送信されてくる送信元保持情報を受信し、送信元の外縁部でアイコンＤが保持されていると判定された場合、通信相手操作検知部５５−２は、送信元保持情報を、操作判定部５６−２を介して表示制御部５３に供給し、処理は、ステップＳ４５に進む。
【００６２】
ステップＳ４５において、携帯端末装置１１−２の表示制御部５３−２は、操作判定部５６からの送信元保持情報に基づいて、表示部３１−２の外縁部にアイコンＤの一部を表示させる。
【００６３】
より具体的には、図５に示されるように、携帯端末装置１１−１の表示部３１−１の外縁部でアイコンＤが保持されると、携帯端末装置１１−１から携帯端末装置１１−２に送信元保持情報が送信される。このとき、送信元保持情報と併せて、携帯端末装置１１−１の表示部３１−１においてアイコンＤの表示されない部分（表示部３１−１から外れた部分）の画像データが送信される。携帯端末装置１１−２においては、送信元保持情報を受信すると、送信元保持情報とともに送信されてきた画像データに基づいて、表示部３１−２の外縁部（表示部３１−２の左側（携帯端末装置１１−１側））に、表示部３１−１においてアイコンＤの表示されない部分が表示される。ここで、図５に示されるように、以降においては、表示部３１−１に表示されているアイコンＤの一部をアイコンＤ1といい、表示部３１−２に表示されているアイコンＤの一部をアイコンＤ2という。
【００６４】
さらに、携帯端末装置１１−１は、携帯端末装置１１−２に対して、送信元保持情報とともに、アイコンＤの画像データに加え、表示部３１−１上のアイコンＤ（アイコンＤ1）の所定の点、例えば、アイコンＤ1の頂点（長方形の４点）の座標位置を送信する。これによって、携帯端末装置１１−１から、所定の間隔で、携帯端末装置１１−２に対して送信元保持情報が送信されることで、携帯端末装置１１−２は、表示部３１−２に表示されるアイコンＤ2の座標位置を、アイコンＤ1の座標位置に基づいて算出し、アイコンＤ2の動きを、アイコンＤ1の動きと連動させることができる。
【００６５】
なお、上述した説明においては、携帯端末装置１１−１においてアイコンＤの表示されない部分の画像データが携帯端末装置１１−２に送信されるようにしたが、アイコンＤ全部の画像データを送信するようにして、携帯端末装置１１−１において表示されているアイコンＤ1の座標位置に基づいて、携帯端末装置１１−２において、アイコンＤの表示されない部分、すなわちアイコンＤ2を表示させるようにしてもよい。
【００６６】
図３のフローチャートに戻り、ステップＳ４５の後、ステップＳ４６において、携帯端末装置１１−２の通信相手操作検知部５５−２は、携帯端末装置１１−１の表示部３１−１の外縁部でアイコンＤ1が開放されたか否かを判定する。なお、ここでは、ユーザ１２−１の指によって表示部３１−１上でドラッグされ、保持されていたアイコンＤ1から、ユーザ１２−１の指が離れることを開放されるといい、以降についても同様である。
【００６７】
ところで、ステップＳ１５において、携帯端末装置１１−１の表示部３１−１の外縁部でアイコンＤ（アイコンＤ1）が保持されていると判定された後も、この状態が続く間（アイコンＤ1が保持されている間）は、送信制御部５４ａ−１は、送信部３２ａ−１に、所定の間隔で、携帯端末装置１１−２に対して送信元保持情報を送信させる。逆に、表示部３１−１の外縁部でアイコンＤ1が開放された場合（後述のステップＳ１７）、送信制御部５４ａ−１は、送信部３２ａ−１に、携帯端末装置１１−２に対して、表示部３１−１の外縁部でアイコンＤ1が開放された旨の情報（以下、送信元開放情報）を送信させる。
【００６８】
すなわち、携帯端末装置１１−２の通信相手操作検知部５５−２が、受信部３２ｂ−２および受信制御部５４ｂ−２を介して、携帯端末装置１１−１から送信されてくる送信元開放情報を取得した場合、ステップＳ４６においては、表示部３１−１の外縁部でアイコンＤ1が開放されたと判定され、処理は、ステップＳ４７に進む。このとき、通信相手操作検知部５５−２は、操作判定部５６−２を介して、送信元開放情報を表示制御部５３−２に供給する。
【００６９】
ステップＳ４７において、表示制御部５３−２は、操作判定部５６−２からの送信元開放情報に基づいて、表示部３１−２に表示されているアイコンＤ2の表示を終了し、処理は、ステップＳ４４に戻る。このとき、携帯端末装置１１−１の表示部３１−１においては、アイコンＤ1が全て表示される（後述のステップＳ１８）。
【００７０】
すなわち、図５に示される状態から、図６に示されるように、表示部３１−１においてアイコンＤ1を保持しているユーザ１２−１の指が、表示部３１−１から開放されると、携帯端末装置１１−２のアイコンＤ2は、携帯端末装置１１−１側に戻るように、その表示が終了される。一方、携帯端末装置１１−１のアイコンＤ1は、携帯端末装置１１−２から戻ってきた部分（アイコンＤ2）も併せて表示されるように、その全て（アイコンＤ）が表示される。
【００７１】
一方、ステップＳ４６において、表示部３１−１の外縁部でアイコンＤ1が開放されていないと判定された場合、すなわち、携帯端末装置１１−１から、所定の間隔で、携帯端末装置１１−２に対して送信元保持情報が送信されている場合、処理は、ステップＳ４８に進む。
【００７２】
ステップＳ４８において、携帯端末装置１１−２の操作検出部５１−２は、表示部３１−２でアイコンＤ2が保持されているか否かを判定する。より具体的には、操作検出部５１−２は、接触検出部５１ａ−２が、ユーザ１２−２の指が操作入力部３３−２に接触していることを検出したか否かを判定する。
【００７３】
すなわち、ステップＳ４８においては、図５に示される状態から、ユーザ１２−２の指によって、アイコンＤ2が保持されているか否かが判定される。
【００７４】
ステップＳ４８において、表示部３１−２でアイコンＤ2が保持されていないと判定されると、処理は、ステップＳ４６に戻り、これ以降の処理が繰り返される。
【００７５】
一方、ステップＳ４８において、表示部３１−２でアイコンＤ2が保持されていると判定されると、携帯端末装置１１−２の送信制御部５４ａ−２は、送信部３２ａ−２に、携帯端末装置１１−１に対して、表示部３１−２でアイコンＤ2が保持されている旨の情報（以下、送信先保持情報）を送信させる。
【００７６】
ところで、ステップＳ１５の後、ステップＳ１６において、携帯端末装置１１−１の通信相手操作検知部５５−１は、受信部３２ｂ−１および受信制御部５４ｂ−１を介して、携帯端末装置１１−２から送信されてくる送信先保持情報に基づいて、送信先（携帯端末装置１１−２）でアイコンＤ2が保持されているか否かを判定する。
【００７７】
携帯端末装置１１−２から送信先保持情報が送信されず、ステップＳ１６において、送信先でアイコンＤ2が保持されていないと判定された場合、処理は、ステップＳ１７に進む。
【００７８】
ステップＳ１７において、携帯端末装置１１−１の操作検出部５１−１は、表示部３１−１の外縁部でアイコンＤ1が開放されたか否かを判定する。より具体的には、操作検出部５１−１は、接触検出部５１ａ−１が、図５に示される状態から、ユーザ１２−１の指が操作入力部３３−１から開放されたことを検出した否かを判定する。
【００７９】
ステップＳ１７において、表示部３１−１の外縁部でアイコンＤ1が開放されていないと判定された場合、処理は、ステップＳ１６に戻り、これ以降の処理が繰り返される。
【００８０】
一方、ステップＳ１７において、表示部３１−１の外縁部でアイコンＤ1が開放されたと判定された場合、処理は、ステップＳ１８に進む。このとき、操作検出部５１−１は、操作判定部５６−１を介して（または直接）、表示部３１−１の外縁部でアイコンＤ1が開放された旨の情報を表示制御部５３−１に供給する。
【００８１】
ステップＳ１８において、表示制御部５３−１は、操作判定部５６−１からの情報に基づいて、表示部３１−１に表示されているアイコンＤ1から、アイコンＤを全て表示させる。このとき、携帯端末装置１１−２の表示部３１−２においては、アイコンＤ2が携帯端末装置１１−１に戻るように、その表示が終了する（上述のステップＳ４７）。ステップＳ１８の後、処理は、ステップＳ１５に戻り、これ以降の処理が繰り返される。
【００８２】
さて、携帯端末装置１１−２から送信されてくる送信先保持情報を受信し、ステップＳ１６において、送信先（携帯端末装置１１−２）でアイコンＤ2が保持されていると判定された場合、処理は、ステップＳ１９に進む。
【００８３】
なお、携帯端末装置１１−２の表示部３１−２の外縁部でアイコンＤ2が保持されていると判定された後（ステップＳ４８の後）も、この状態が続く間（アイコンＤ2が保持されている間）は、送信制御部５４ａ−２は、送信部３２ａ−２に、所定の間隔で、携帯端末装置１１−１に対して送信先保持情報を送信させる。また、ステップＳ１６の後も、携帯端末装置１１−１の表示部３１−１の外縁部でアイコンＤ1が保持されている間は、送信制御部５４ａ−１は、送信部３２ａ−１に、所定の間隔で、携帯端末装置１１−２に対して送信元保持情報を送信させる。
【００８４】
すなわち、このとき、携帯端末装置１１−１においては、ユーザ１２−１によって表示部３１−１の外縁部でアイコンＤ1が保持されているとともに、携帯端末装置１１−２においては、ユーザ１２−２によって表示部３１−２の外縁部でアイコンＤ2が保持されている。このような状態においては、図７に示されるように、ユーザ１２−２は、アイコンＤ2を、表示部３１−２の外縁部から、表示部３１−２上を自在に移動させることはできない。一方、ユーザ１２−１は、ユーザ１２−２が表示部３１−２の外縁部でアイコンＤ2を保持していても、アイコンＤ1を、表示部３１−１の外縁部から、表示部３１−１上を自在に移動させて、アイコンＤ全てを表示させることができる（このとき、表示部３１−２のアイコンＤ2の表示は終了する（消える））。したがって、ユーザ１２−１の操作次第で、携帯端末装置１１−１と携帯端末装置１１−２との間のデータの送受信を中止することができる。
【００８５】
図３のフローチャートに戻り、ステップＳ１９において、携帯端末装置１１−１の操作検出部５１−１は、表示部３１−１の外縁部でアイコンＤ1が開放されたか否かを判定する。より具体的には、操作検出部５１−１は、接触検出部５１ａ−１が、図７に示される状態から、ユーザ１２−１の指が操作入力部３３−１から開放されたことを検出した否かを判定する。
【００８６】
ステップＳ１９において、表示部３１−１の外縁部でアイコンＤ1が開放されていないと判定された場合、処理は、ステップＳ１６に戻り、これ以降の処理が繰り返される。
【００８７】
一方、ステップＳ１９において、表示部３１−１の外縁部でアイコンＤ1が開放されたと判定された場合、送信制御部５４ａ−１は、送信部３２ａ−１に、携帯端末装置１１−２に対して送信元開放情報を送信させる。
【００８８】
ところで、ステップＳ４８の後、ステップＳ４９において、携帯端末装置１１−２の通信相手操作検知部５５−２は、携帯端末装置１１−１の表示部３１−１の外縁部でアイコンＤ1が開放されたか否かを判定する。
【００８９】
ステップＳ４９において、表示部３１−１の外縁部でアイコンＤ1が開放されていないと判定された場合、すなわち、携帯端末装置１１−１から、所定の間隔で、携帯端末装置１１−２に対して送信元保持情報が送信されている場合、処理は、ステップＳ４８に戻り、これ以降の処理が繰り返される。
【００９０】
一方、携帯端末装置１１−２の通信相手操作検知部５５−２が、受信部３２ｂ−２および受信制御部５４ｂ−２を介して、携帯端末装置１１−１から送信されてくる送信元開放情報を取得した場合、ステップＳ４９においては、表示部３１−１の外縁部でアイコンＤ1が開放されたと判定され、処理は、ステップＳ５０に進む。
【００９１】
すなわち、このとき、図７に示される状態から、携帯端末装置１１−１の表示部３１−１においてアイコンＤ1を保持しているユーザ１２−１の指が、表示部３１−１から開放され、図８に示されるように、携帯端末装置１１−２の表示部３１−２においてアイコンＤ2がユーザ１２−２の指によって保持されているだけの状態となる。このような状態においては、ユーザ１２−２は、アイコンＤ2を、表示部３１−２の外縁部から、表示部３１−２上を自在に移動させることができる。このとき、携帯端末装置１１−１は、表示部３１−２上のアイコンＤ2の移動に応じて携帯端末装置１１−２から送信されてくる、アイコンＤ2における所定の点の座標位置に基づいて、表示部３１−１上のアイコンＤ1の動きを、アイコンＤ2の動きに連動させることができる。
【００９２】
ステップＳ５０において、ユーザ１２−２によって、アイコンＤ2が、表示部３１−２の外縁部から、表示部３１−２の中央部付近に移動される（ドラッグされる）ことで、携帯端末装置１１−２の操作検出部５１−２は、表示部３１−２において、アイコンＤ2（アイコンＤ）が全て表示されたか否かを判定する。より具体的には、接触検出部５１ａ−２が、ユーザ１２−２の指が操作入力部３３−２に接触していることを検出し、座標認識部５１ｂ−２が、接触検出部５１ａ−２によってユーザ１２−２の指の接触が検出された、操作入力部３３−２上での座標位置が、表示部３１−２の中央部付近であるか否かを判定する。なお、ここでは、ユーザ１２−２の指の座標位置が表示部３１−２の中央部付近であるか否かを判定するようにしたが、例えば、アイコンＤ2（アイコンＤ）の中心（重心）の座標位置と、表示部３１−２の中心の座標位置との距離が所定の値より小さいか否かを判定するようにしてもよい。
【００９３】
ステップＳ５０において、表示部３１−２でアイコンＤが全て表示されていないと判定された場合、アイコンＤが全て表示されるまで、ステップＳ５０の処理が繰り返される。
【００９４】
一方、ステップＳ５０において、ユーザ１２−２によって、アイコンＤ2が、表示部３１−２の外縁部から、表示部３１−２の中央部付近に移動されて（ドラッグされて）、図９に示されるように、表示部３１−２でアイコンＤが全て表示されたと判定された場合、送信制御部５４ａ−２は、送信部３２ａ−２に、携帯端末装置１１−１に対して、携帯端末装置１１−２においてアイコンＤが全て表示された旨の情報を送信させる。
【００９５】
ステップＳ２０において、携帯端末装置１１−１の表示制御部５３−１は、受信部３２ｂ−２および受信制御部５４ｂ−２を介して、携帯端末装置１１−２から送信されてくる情報に基づいて、表示部３１−１に、アイコンＤ1の表示を終了させ、処理は、ステップＳ２１に進む。
【００９６】
ステップＳ２１において、送信制御部５４ａ−１は、操作判定部５６−１からの指示に応じて、記録制御部５２−１が記録部３４−１から読み出した、アイコンＤに対応するデータを取得し、送信部３２ａ−１に、携帯端末装置１１−２に対するデータ送信を開始させる。より具体的には、操作判定部５６−１は、操作検出部５１−１からの情報と、通信相手操作検知部５５−１からの情報とに基づいて、携帯端末装置１１−１に表示されているアイコンＤ1がユーザ１２−１によって保持され、携帯端末装置１１−２に表示されているアイコンＤ2がユーザ１２−２によって保持されている状態から、ユーザ１２−１によってアイコンＤ1が開放され、ユーザ１２−２によってアイコンＤ2がドラッグされ、アイコンＤ全体が表示部３１−２上に表示されたと判定すると、記録制御部５２−１に、記録部３４−１に対する、アイコンＤに対応するデータの読み出しを指示する情報を供給する。記録制御部５２−１は、操作判定部５６−１からの情報に基づいて、アイコンＤに対応するデータを読み出し、送信制御部５４ａ−１に供給する。送信制御部５４ａ−１は、操作判定部５６−１からの、アイコンＤに対応するデータを、送信部３２ａ−１に、携帯端末装置１１−２に対して送信させる。
【００９７】
ステップＳ２２において、送信制御部５４ａ−１は、データ送信が完了したか否かを判定する。記録部３４−１に記録されている、アイコンＤに対応するデータが全て送信されていない場合、データ送信が完了していないと判定され、データ送信が完了するまで、ステップＳ２２の処理が繰り返される。
【００９８】
一方、ステップＳ２２において、データ送信が完了したと判定された場合、送信制御部５４ａ−１は、表示制御部５３−１に、データ送信が完了した旨の情報を供給し、処理は、ステップＳ２３に進む。
【００９９】
ステップＳ２３において、表示制御部５３−１は、通信制御部５４−１からの情報に基づいて、表示部３１−１に、データ送信が完了した旨（例えば、コメント等）を表示させる。
【０１００】
一方、携帯端末装置１１−２においても、ステップＳ２１乃至Ｓ２３に対応した処理が実行される。
【０１０１】
すなわち、ステップＳ５０の後、ステップＳ５１において、受信制御部５４ｂ−２は、受信部３２ｂ−２に、携帯端末装置１１−１からのデータ受信を開始させる。このとき、操作判定部５６−２は、操作検出部５１−２からの情報と、通信相手操作検知部５５−２からの情報とに基づいて、携帯端末装置１１−１に表示されているアイコンＤ1がユーザ１２−１によって保持され、携帯端末装置１１−２に表示されているアイコンＤ2がユーザ１２−２によって保持されている状態から、ユーザ１２−１によってアイコンＤ1が開放され、ユーザ１２−２によってアイコンＤ2がドラッグされ、アイコンＤ全体が表示部３１−２上に表示されたと判定すると、記録制御部５２−２に、記録部３４−２へのアイコンＤに対応するデータの記録を指示する情報を供給する。記録制御部５２−２は、操作判定部５６−２からの情報に基づいて、受信部３２ｂ−２に受信され、受信制御部５４ｂ−２から供給されてくる、携帯端末投資１１−１からのアイコンＤに対応するデータを、記録部３４−２に記録させる。
【０１０２】
ステップＳ５２において、受信制御部５４ｂ−２は、データ受信が完了したか否かを判定する。携帯端末装置１１−１からのデータが全て受信されていない場合、データ受信が完了していないと判定され、データ受信が完了するまで、ステップＳ５２の処理が繰り返される。
【０１０３】
一方、ステップＳ５２において、データ受信が完了したと判定された場合、受信制御部５４ｂ−２は、表示制御部５３−２に、データ受信が完了した旨の情報を供給し、処理は、ステップＳ５３に進む。
【０１０４】
ステップＳ５３において、表示制御部５３−２は、通信制御部５４−２からの情報に基づいて、表示部３１−１に、データ送信が完了した旨（例えば、コメント等）を表示させる。
【０１０５】
このように、データの送受信が完了した後、他に送受信されるデータがなく、携帯端末装置１１−１，１１−２間の接続が不要な場合には、ユーザ１２−１，１２−２に、接続を解除する操作を促すようにしてもよい。また、携帯端末装置１１−１または携帯端末装置１１−２を、近距離無線通信ができない接続可能範囲外に移動させることで、自動的に接続を解除させるようにしてもよい。
【０１０６】
以上の処理によれば、携帯端末装置１１−１に表示されているアイコンＤ1がユーザ１２−１によって保持され、携帯端末装置１１−２に表示されているアイコンＤ2がユーザ１２−２によって保持されている状態から、ユーザ１２−１によってアイコンＤ1が開放され、ユーザ１２−２によってアイコンＤ2がドラッグされ、アイコンＤ全体が表示部３１−２上に表示されたときに、携帯端末装置１１−１から携帯端末装置１１−２へデータが送信されるので、それぞれのユーザは、実際に物を手渡しする動作に近い、アイコンをつかむ、離すといった、より簡単で直感的な操作によってデータの受け渡しを行うことが可能となる。また、ユーザ１２−２がアイコンＤ2をドラッグし、アイコンＤ全体を表示部３１−２上に表示させようとしても、ユーザ１２−１がアイコンＤ1を保持していれば、データの送受信は開始されないので、ユーザ同士の同意を伴う操作によってデータの受け渡しを行うことができる。
【０１０７】
なお、以上の処理において、送信されるデータが複製できないデータである場合には、携帯端末装置１１−２へのデータ送信が完了した後、携帯端末装置１１−１のデータを削除させ、送信されるデータが複製可能なデータである場合には、携帯端末装置１１−１のデータは削除せず、記録されたままにするようにできる。
【０１０８】
また、表示部３１に、他点認識が可能なタッチパネルを適用することで、複製可能なデータを送信相手に送信する際、一方の指でそのデータに対応するアイコンを保持したまま、他方の指でそのアイコンをドラッグしてコピーするようにできる。このとき、データのコピー（複製）を作成させ、他方の指でドラッグ（コピー）されたアイコンを、表示部３１の外縁部にさらにドラッグさせ、対応するデータのコピーを送信相手に送信させるようにすることで、ユーザは、データのコピーを送信したことを容易に視認できるようになる。
【０１０９】
さらに、以上の処理において、携帯端末装置１１−２において、アイコンＤ2がユーザ１２−２によって保持されたり、開放されたときに、携帯端末装置１１−１において、その全体または一部が振動するようにしてもよい。これにより、ユーザは、実際に物を手渡しする動作により近い操作でデータの受け渡しを行うことができるようになる。また、アイコンＤ2がユーザ１２−２によって保持されたり、開放されたときに、携帯端末装置１１−１において、アイコンＤ1の表示を、色を変えたり、縁取りする等して変化させるようにしてもよい。
【０１１０】
なお、表示部３１において、ユーザ１２の指やスタイラスペンによって、アイコンＤの保持したり開放するには、アイコンＤ自体の表示が小さい場合には、例えば、表示部３１の外縁部までドラッグすると、所定の大きさに拡大して表示されるようにしてもよい。
【０１１１】
また、もちろん、携帯端末装置１１−２から携帯端末装置１１−１にデータを送信する場合にも、上述した処理と同様に、データを送信することができる。
【０１１２】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【０１１３】
コンピュータにインストールされ、コンピュータによって実行可能な状態とされるプログラムを格納するプログラム記録媒体は、図２に示すように、磁気ディスク（フレキシブルディスクを含む）、光ディスク（CD-ROM(Compact Disc-Read Only Memory)、DVDを含む）、光磁気ディスクを含む）、もしくは半導体メモリなどよりなるパッケージメディアであるリムーバブルメディア３７、または、プログラムが一時的もしくは永続的に格納されるROM（図示せず）や、記録部３４を構成するハードディスクなどにより構成される。プログラム記憶媒体へのプログラムの格納は、必要に応じてルータ、モデムなどのインタフェースである通信部３２を介して、ネットワーク、ローカルエリアネットワーク、インターネット、デジタル衛星放送といった、有線または無線の通信媒体を利用して行われる。
【０１１４】
また、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１５】
なお、本発明の実施の形態は、上述した実施の形態に限定されるものではなく、本発明の要旨を逸脱しない範囲において種々の変更が可能である。
【０１１６】
また、本明細書において、システムとは、複数の装置や処理部により構成される装置全体を表すものである。
【符号の説明】
【０１１７】
１１  携帯端末装置，  ３１  表示部，  ３２  通信部，  ３２ａ  送信部，  ３２ｂ  受信部，  ３３  操作入力部，  ３４  記録部，  ３５  制御部，  ５１  操作検出部，  ５１ａ  接触検出部，  ５１ｂ  座標認識部，  ５２  記録制御部，  ５３  表示制御部，  ５４  通信制御部，  ５４ａ  送信制御部，  ５４ｂ  受信制御部，  ５５  通信相手検知部，  ５６  操作判定部
【図１】
2010262330.tif 000003
【図２】
2010262330.tif 000004
【図３】
2010262330.tif 000005
【図４】
2010262330.tif 000006
【図５】
2010262330.tif 000007
【図６】
2010262330.tif 000008
【図７】
2010262330.tif 000009
【図８】
2010262330.tif 000010
【図９】
2010262330.tif 000011